(57)【特許請求の範囲】
【請求項１】
二次元読み取りヘッドにより読み取り可能な情報記録マークとして少なくともメイン情報及び次のスキャン方向の情報にて構成したクラスタ単位で情報が記録される記録媒体層を有し、上記記録媒体層を介して少なくともメイン情報及び次のスキャン方向の情報にて構成したクラスタ単位で情報の書き込み／読み出しが行われることを特徴とする情報記録媒体。
【請求項２】
二次元読み取りヘッドにより読み取り可能な情報記録マークとして少なくともメイン情報及び次のスキャン方向の情報にて構成したクラスタ単位で情報を情報記録媒体の記録媒体層に記録することを特徴とする情報記録方法。
【請求項３】
二次元読み取りヘッドにより読み取り可能な情報記録マークとして少なくともメイン情報及び次のスキャン方向の情報にて構成したクラスタ単位で情報を情報記録媒体の記録媒体層に記録し、上記情報記録媒体の記録媒体層から二次元読み取りヘッドにより上記情報記録マークを読み取って少なくともメイン情報及び次のスキャン方向の情報にて構成したクラスタ単位で情報を再生することを特徴とする情報記録再生方法。
【請求項４】
二次元書き込みヘッドを備え、二次元読み取りヘッドにより読み取り可能な情報記録マークとして少なくともメイン情報及び次のスキャン方向の情報にて構成したクラスタ単位で情報を情報記録媒体の記録媒体層に記録することを特徴とする情報記録装置。
【請求項５】
光学的な二次元書き込みヘッドを備え、光学的に読み取り可能な情報記録マークとして少なくともメイン情報及び次のスキャン方向の情報にて構成したクラスタ単位で情報を光学的情報記録媒体の光学的記録媒体層に記録することを特徴とする請求項４記載の情報記録装置。
【請求項６】
上記光学的な二次元書き込みヘッドにより、光学的に読み取り可能な透過型情報記録マークとして少なくともメイン情報及び次のスキャン方向の情報にて構成したクラスタ単位で情報を光学的情報記録媒体の透過型記録媒体層に記録することを特徴とする請求項５記載の情報記録装置。
【請求項７】
上記光学的な二次元書き込みヘッドにより、光学的に読み取り可能な反射型情報記録マークとして少なくともメイン情報及び次のスキャン方向の情報にて構成したクラスタ単位で情報を光学的情報記録媒体の反射型記録媒体層に記録することを特徴とする請求項５記載の情報記録装置。
【請求項８】
電気的な二次元書き込みヘッドにより、電気的に読み取り可能な静電容量情報記録マークとして少なくともメイン情報及び次のスキャン方向の情報にて構成したクラスタ単位で情報を情報記録媒体の静電容量型記録媒体層に記録することを特徴とする請求項４記載の情報記録装置。
【請求項９】
磁気的な二次元書き込みヘッドにより、磁気的に読み取り可能な磁性情報記録マークとして少なくともメイン情報及び次のスキャン方向の情報にて構成したクラスタ単位で情報を情報記録媒体の磁性記録媒体層に記録することを特徴とする請求項４記載の情報記録装置。
【請求項１０】
二次元読み取りヘッドを備え、上記二次元読み取りヘッドにより情報記録媒体の記録媒体層から情報記録マークを読み取って少なくともメイン情報及び次のスキャン方向の情報にて構成したクラスタ単位で情報を再生することを特徴とする情報再生装置。
【請求項１１】
光学的二次元読み取りヘッドを備え、上記光学的二次元読み取りヘッドにより光学的情報記録媒体の光学的記録媒体層から光学的に読み取り可能な情報記録マークを読み取って少なくともメイン情報及び次のスキャン方向の情報にて構成したクラスタ単位で情報を再生することを特徴とする請求項１０記載の情報再生装置。
【請求項１２】
上記光学的二次元読み取りヘッドは、光学的情報記録媒体の透過型記録媒体層から光学的に読み取り可能な透過型情報記録マークを読み取って少なくともメイン情報及び次のスキャン方向の情報にて構成したクラスタ単位で情報を再生することを特徴とする請求項１１記載の情報再生装置。
【請求項１３】
上記光学的二次元読み取りヘッドは、光学的情報記録媒体の反射型記録媒体層から光学的に読み取り可能な反射型情報記録マークを読み取って少なくともメイン情報及び次のスキャン方向の情報にて構成したクラスタ単位で情報を再生することを特徴とする請求項１１記載の情報再生装置。
【請求項１４】
電気的な二次元読み取りヘッドを備え、情報記録媒体の静電容量型記録媒体層から電気的に読み取り可能な静電容量情報記録マークを読み取って少なくともメイン情報及び次のスキャン方向の情報にて構成したクラスタ単位で情報を再生することを特徴とする請求項１０記載の情報再生装置。
【請求項１５】
磁気的な二次元読み取りヘッドを備え、情報記録媒体の磁性記録媒体層から磁気的に読み取り可能な磁性情報記録マーク読み取って少なくともメイン情報及び次のスキャン方向の情報にて構成したクラスタ単位で情報を再生することを特徴とする請求項１０記載の情報再生装置。
【請求項１６】
二次元書き込みヘッドと二次元読み取りヘッドを備え、上記二次元読み取りヘッドにより読み取り可能な情報記録マークとして少なくともメイン情報及び次のスキャン方向の情報にて構成したクラスタ単位で情報を上記二次元書き込みヘッドにより情報記録媒体の記録媒体層に記録し、上記情報記録媒体の記録媒体層から上記二次元読み取りヘッドにより上記情報記録マークを読み取って少なくともメイン情報及び次のスキャン方向の情報にて構成したクラスタ単位で情報を再生することを特徴とする情報記録再生装置。
【発明の詳細な説明】
【０００１】
【発明の属する技術分野】
本発明は、音楽や映像等の各種コンテンツからなるメイン情報が記録される情報記録媒体、その情報記録／再生方法並びに情報記録／再生装置に関する。
【０００２】
【従来の技術】
音楽や映像等の各種コンテンツの電子化情報は、近年、機器の多機能化や高性能化或いは高容量処理化等の開発促進、画像圧縮技術等の処理技術の向上、インターネット等による利用環境の整備或いは処理速度や通信速度の向上等によって利用促進が図られている。電子化情報は、例えば機器内に備えられたハードディスクや半導体メモリ（ＦＬＡＳＨメモリ）等の固定記憶手段或いは機器に挿脱操作されて持ち運び自在な磁気テープ、光ディスクや光磁気ディスク、磁気ディスク等の可搬型記録媒体（以下、情報記録媒体と総称する。）に記録され、情報再生装置や情報記録再生装置（以下、情報記録再生装置と総称する。）よって再生されるとともに適宜の記録手段に記録される。
【０００３】
【発明が解決しようとする課題】
従来より、磁気テープ等のテープメディアは大容量の情報記録媒体として知られている。また、光ディスク、光磁気ディスクや磁気ディスク等のディスクメディアは、ランダムアクセスが可能で低コストの情報記録媒体として知られている。さらに、半導体メモリは、高速ランダムアクセスが可能でメカレスすなわち機構部品を必要としない情報記録媒体として知られている。
【０００４】
しかしながら、従来の技術では大容量・低コスト・高速ランダムアクセス性・メカレスなどを両立することは困難であった。
【０００５】
本発明の目的は、上述の如き従来技術では成し得なかった大容量・低コスト・高速ランダムアクセス性・メカレスなど可能にした情報記録媒体及びこの情報記録媒体を用いて情報の記録及び／又は再生を行う情報記録方法、情報再生方法、情報記録再生方法、情報記録装置、情報再生装置、並びに情報記録再生装置を提供することにある。
【０００６】
【課題を解決するための手段】
本発明に係る情報記録媒体は、二次元読み取りヘッドにより読み取り可能な情報記録マークとして少なくともメイン情報及び次のスキャン方向の情報にて構成したクラスタ単位で情報が記録される記録媒体層を有し、上記記録媒体層を介して少なくともメイン情報及び次のスキャン方向の情報にて構成したクラスタ単位で情報の書き込み／読み出しが行われることを特徴とする。
【０００７】
また、本発明に係る情報記録方法は、二次元読み取りヘッドにより読み取り可能な情報記録マークとして少なくともメイン情報及び次のスキャン方向の情報にて構成したクラスタ単位で情報を情報記録媒体の記録媒体層に記録することを特徴とする。
【０００９】
また、本発明に係る情報記録再生方法は、二次元読み取りヘッドにより読み取り可能な情報記録マークとして少なくともメイン情報及び次のスキャン方向の情報にて構成したクラスタ単位で情報を情報記録媒体の記録媒体層に記録し、上記情報記録媒体の記録媒体層から二次元読み取りヘッドにより上記情報記録マークを読み取って少なくともメイン情報及び次のスキャン方向の情報にて構成したクラスタ単位で情報を再生することを特徴とする。
【００１０】
また、本発明に係る情報記録装置は、二次元書き込みヘッドを備え、二次元読み取りヘッドにより読み取り可能な情報記録マークとして少なくともメイン情報及び次のスキャン方向の情報にて構成したクラスタ単位で情報を情報記録媒体の記録媒体層に記録することを特徴とする。
【００１１】
また、本発明に係る情報再生装置は、二次元読み取りヘッドを備え、上記二次元読み取りヘッドにより情報記録媒体の記録媒体層から情報記録マークを読み取って少なくともメイン情報及び次のスキャン方向の情報にて構成したクラスタ単位で情報を再生することを特徴とする。
【００１２】
さらに、本発明に係る情報記録再生装置は、二次元書き込みヘッドと二次元読み取りヘッドを備え、上記二次元読み取りヘッドにより読み取り可能な情報記録マークとして少なくともメイン情報及び次のスキャン方向の情報にて構成したクラスタ単位で情報を上記二次元書き込みヘッドにより情報記録媒体の記録媒体層に記録し、上記情報記録媒体の記録媒体層から上記二次元読み取りヘッドにより上記情報記録マークを読み取って少なくともメイン情報及び次のスキャン方向の情報にて構成したクラスタ単位で情報を再生することを特徴とする情報記録再生装置。
【００１３】
【発明の実施の形態】
以下、本発明の実施の形態について、図面を参照して詳細に説明する。
【００１４】
本発明は、例えば図１に示すような構成の情報記録／再生装置１０に適用される。
【００１５】
この情報記録／再生装置１０は、正方形の情報記録媒体３０を介して情報の記録／再生を行うもので、上記情報記録媒体３０の記録面全面に対して、情報の書き込み及び／又は読み取りを行う二次元ヘッド２０を備える。
【００１６】
上記正方形の情報記録媒体３０は、二次元ヘッド２０により情報の書き込み／読み取り可能な情報記録マークとして情報が記録される記録媒体層３１を有する。この情報記録媒体３０としては、図２に示すように光学的に読み取り可能な透過型情報記録マーク３１Ａとして情報が記録される透過型記録媒体層を有する光学的情報記録媒体３０Ａ、図３に示すように光学的に読み取り可能な反射型情報記録マーク３１Ｂとして情報が記録される反射型記録媒体層を有する光学的情報記録媒体３０Ｂ、図４に示すように電気的に読み取り可能な静電容量情報記録マーク３１Ｃとして情報が記録さる静電容量型記録媒体層を有する静電型情報記録媒体３０Ｃ、あるいは、図５に示すように磁気的に読み取り可能な磁性情報記録マークとして情報が記録される磁性記録媒体層を有する磁気的情報記録媒体３０Ｄ等を用いることができる。
【００１７】
このような構造の情報記録再生装置１０では、上記二次ヘッド２０により読み取り可能な情報記録マークとして情報を当該二次元ヘッド２０により情報記録媒体３０の記録媒体層３１に記録し、上記情報記録媒体３０の記録媒体層３１から上記二次元ヘッド２０により上記情報記録マークを読み取って情報を再生する。
【００１８】
ここで、この情報記録再生装置１０では、二次元ヘッド２０により、情報記録媒体３０の記録面全面に対して、情報の書き込み及び／又は読み取りを行う方式を採用することにより、上記情報記録媒体３０を、従来のＣＤ−ＲＯＭやＤＶＤのようなディスク状メディアにする必要がなく、上記正方形などの自由な形状にすることができ、しかも、高速ランダムアクセス性を確保することができる。また、メディアの読み書き装置も従来のＣＤ−ＲＯＭやＤＶＤのような円盤を回転させるようなモータやピックアップを移動させるようなメカニズムも必要なくなるため、低消費電力で大容量・低コストかつコンパクトなメディアの読み書き装置を実現することができる。
【００１９】
図２に示す情報記録／再生装置１０Ａは、光学的に読み取り可能な透過型情報記録マーク３１Ａとして情報が記録される透過型記録媒体層を有する光学的情報記録媒体３０Ａを介して、情報の記録／再生を行うもので、上記光学的情報記録媒体３０Ａの記録面全面に対して、情報の書き込み及び／又は読み取りを光学的に行うためのフォトセンサアレイ２１Ａからなる二次元ヘッド２０Ａと平面光源２２を備える。
【００２０】
この情報記録／再生装置１０Ａでは、光学的に読み取り可能な透過型情報記録マーク３１Ａ（ここでは、ＣＤ−ＲＯＭやＤＶＤのようなピット構造で微細な穴を用いたもの）として情報が記録される透過型記録媒体層を有する光学的情報記録媒体３０Ａを挟んで上記二次元ヘッド２０Ａと平面光源２２を対向させて配置した構造とすることにより、平面光源２２からの光が通ったものを「１」、通らないものを「０」として、上記二次元ヘッド２０Ａにより上記情報記録マーク３１Ａを読み取って情報の再生を行う。ただし、この構造において、ＣＤ−ＲＯＭのような穴の大きさを「１」と「０」で変化させ、通った光量によっても判別することはできる。
【００２１】
また、図３に示す情報記録／再生装置１０Ｂは、光学的に読み取り可能な反射型情報記録マーク３１Ｂとして情報が記録される反射型記録媒体層を有する光学的情報記録媒体３０Ｂを介して、情報の記録／再生を行うもので、上記光学的情報記録媒体３０Ｂの記録面全面に対して、情報の書き込み及び／又は読み取りを行うための発光ダイオード（又は半導体レーザー）が一体とされたフォトセンサアレイ２１Ｂからなる二次元ヘッド２０Ｂを備える。
【００２２】
この情報記録／再生装置１０Ｂでは、発光ダイオード（又は半導体レーザー）が一体とされたフォトセンサアレイ２１Ｂからなる二次元ヘッド２０Ｂにおいて、光（又はレーザー光）の反射光を検知することにより、上記情報記録マーク３１Ｂを読み取って情報の再生を行う。
【００２３】
また、図４に示す情報記録／再生装置１０Ｃは、電気的に読み取り可能な静電容量情報記録マーク３１Ｃとして情報が記録される静電容量型記録媒体層を有する静電型情報記録媒体３０Ｃを介して、情報の記録／再生を行うもので、上記光学的情報記録媒体３０Ｃの記録面全面に対して、情報の書き込み及び／又は読み取りを行うための静電容量センサアレイ２１Ｃからなる二次元ヘッド２０Ｃを備える。
【００２４】
上記静電型情報記録媒体３０Ｃでは、アルミニウムなどの導電体の素材に穴（ピット）を開けることにより、電気的に読み取り可能な静電容量情報記録マーク３１Ｃとして情報が記録される。
【００２５】
すなわち、この上記静電型情報記録媒体３０Ｃにおける情報読み出しの原理は、静電容量情報記録マーク３１Ｃすなわち穴（ピット）のある無しによる静電容量（寄生容量）の違いを静電容量センサアレイ２１Ｃからなる二次元ヘッド２０Ｃにて検出して読み出すものである。静電容量センサは、ダイナミックランダムアクセスメモリ（ＤＲＡＭ）のメモリセルを読み出す原理とほぼ同じ原理で情報を読み出すことができる。
【００２６】
さらに、図５に示す情報記録／再生装置１０Ｄは、磁気的に読み取り可能な磁性情報記録マーク３１Ｄとして情報が記録される磁気的記録媒体層を有する磁気的情報記録媒体３０Ｄを介して、情報の記録／再生を行うもので、上記磁気的情報記録媒体３０Ｄの記録面全面に対して、情報の書き込み及び／又は読み取りを行うための磁気センサアレイ２１Ｄからなる二次元ヘッド２０Ｄを備える。
【００２７】
この情報記録／再生装置１０Ｄにおいて、磁気的情報記録媒体３０Ｄとしては、磁気ディスクや磁気テープのような磁性体を用いる。この磁気的情報記録媒体３０Ｄにおける情報の読み出し原理は、磁性体に記録された磁性情報記録マーク３１Ｄを磁気センサアレイ２１Ｄからなる二次元ヘッド２０Ｄにて検出して読み出し又は書き込みするものである。磁気センサは、マグネチックランダムアクセスメモリ（ＭＲＡＭ）のメモリーセル（フィライトコアを微細にしたもの）を読み出し又は書き込みする原理とほぼ同じ原理で情報を読み書きすることができる。
【００２８】
そして、上述の如き情報記録媒体３０を介して情報の記録再生を行う情報記録／再生装置１０では、二次ヘッド２０を採用したことにより、上記情報記録媒体３０に対して高速ランダムアクセスを行うことができるので、例えば、図６に示すように、メイン情報(DATA)、次のスキャン方向の情報（スキャン方向情報）及びパリティにてクラスタを構成し、クラスタ単位で情報の書き込み／読み出しを行うようにすることによって、例えば図７に示すように、メディアのアドレス空間における先頭の読み出しアドレスを知らなければ、そのメディアからメイン情報を読み出すことができないようにすることができる。
【００２９】
【発明の効果】
以上説明したように、本発明によれば、二次元ヘッドにより、情報記録媒体の記録面全面に対して、情報の書き込み及び／又は読み取りを行う方式を採用することにより、上記情報記録媒体を正方形などの自由な形状にすることができ、しかも、高速ランダムアクセス性を確保することができ、ディスクを回転させるモータやピックアップを移動させるようなメカニズムも必要なくなるため、低消費電力で大容量・低コストかつコンパクトな情報記録／再生装置を実現することができる。そして、少なくともメイン情報及び次のスキャン方向の情報にて構成したクラスタ単位で情報の書き込み／読み出しを行うようにすることによって、メディアのアドレス空間における先頭の読み出しアドレスを知らなければ、そのメディアからメイン情報を読み出すことができないようにすることができる。
【００３０】
したがって、本発明によれば、大容量・低コスト・高速ランダムアクセス性・メカレスなどを可能にする情報記録媒体、情報再生方法、情報記録再生方法、情報再生装置並びに情報記録再生装置を提供することができる。
【図面の簡単な説明】
【図１】本発明を適用した情報記録／再生装置の構成例を示すブロック図である。
【図２】本発明に係る透過型情報記録／再生装置の構成例を示すブロック図である。
【図３】本発明に係る反射型情報記録／再生装置の構成例を示すブロック図である。
【図４】本発明に係る静電容量型情報記録／再生装置の構成例を示すブロック図である。
【図５】本発明に係る磁気的情報記録／再生装置の構成例を示すブロック図である。
【図６】上記情報記録／再生装置により記情報記録媒体に記録される情報のクラスタ構成を示す図である。
【図７】上記情報記録／再生装置におけるメイン情報の読み出しのためのスキャン方向を模式的に示す図である。
【符号の説明】
１０，１０Ａ，１０Ｂ，１０Ｃ，１０Ｄ  情報記録／再生装置、２０，２０Ａ，２０Ｂ，２０Ｃ，２０Ｄ  二次元ヘッド、２１Ａ  フォトセンサアレイ、２１Ｂ  フォトセンサアレイ、２１Ｃ  静電容量センサアレイ、２１Ｄ  磁気センサアレイ、２２  平面光源、３０  情報記録媒体、３０Ａ  光学的情報記録媒体、３０Ｂ  光学的情報記録媒体、３０Ｃ  静電型情報記録媒体、３０Ｄ  磁気的情報記録媒体、３１  記録媒体層、３１Ａ  透過型情報記録マーク、３１Ｂ  反射型情報記録マーク、３１Ｃ  静電容量情報記録マーク、３１Ｄ  磁性情報記録マーク
【図１】
0003896889.tif 000002
【図２】
0003896889.tif 000003
【図３】
0003896889.tif 000004
【図４】
0003896889.tif 000005
【図５】
0003896889.tif 000006
【図６】
0003896889.tif 000007
【図７】
0003896889.tif 000008